(57)【特許請求の範囲】
【請求項１】
在圏セルが変わった場合に、待ち受けるセルの再選択を行うユーザ装置であって：
基地局装置から送信された新たなトラッキング・エリアのＩＤが、前記セルの再選択の直前に在圏していたセルのトラッキング・エリアＩＤと一致するか否かを判断するトラッキング・エリアＩＤ判断手段；
前記新たなトラッキング・エリアのＩＤが、前記セルの再選択の直前に在圏していたセルのトラッキング・エリアＩＤと一致すると判断された場合に、前記セルの再選択の直前に在圏していたセルにおけるページング・パラメータで、ページングの受信を行うページング受信手段；
を備えることを特徴とするユーザ装置。
【請求項２】
請求項１に記載のユーザ装置において：
前記ページング・パラメータは、トラッキング・エリアに属する基地局装置毎に設定されていることを特徴とするユーザ装置。
【請求項３】
請求項１又は２に記載のユーザ装置において：
プライマリー報知チャネルを受信する受信手段；
前記プライマリー報知チャネルにより指定される物理下りリンク制御チャネルを受信し、該物理下りリンク制御チャネルで指定された最初のスケジューリング・ユニットのリソース位置を検出するＬ１／Ｌ２処理手段；
前記最初のスケジューリング・ユニットのリソース位置に基づいて、最初のスケジューリング・ユニットを受信し、該最初のスケジューリング・ユニットに含まれるトラッキング・エリアのＩＤを獲得するＲＲＣ処理手段；
を備えることを特徴とするユーザ装置。
【請求項４】
在圏セルが変わった場合に、待ち受けるセルの再選択を行うユーザ装置におけるページングチャネル受信方法であって：
基地局装置から送信された新たなトラッキング・エリアのＩＤが、前記セルの再選択の直前に在圏していたセルのトラッキング・エリアＩＤと一致するか否かを判断するトラッキング・エリアＩＤ判断ステップ；
前記新たなトラッキング・エリアのＩＤが、前記セルの再選択の直前に在圏していたセルのトラッキング・エリアＩＤと一致すると判断された場合に、前記セルの再選択の直前に在圏していたセルにおけるページング・パラメータで、ページングの受信を行うページング受信ステップ；
を有することを特徴とするページングチャネル受信方法。
【発明の詳細な説明】
【技術分野】
【０００１】
本発明は、ＬＴＥ（Ｌｏｎｇ  Ｔｅｒｍ  Ｅｖｏｌｕｔｉｏｎ）システムに関し、特にユーザ装置及びページングチャネル受信方法に関する。
【背景技術】
【０００２】
無線通信ネットワークでは、ユーザ装置の位置は、トラッキング・エリア（Ｔｒａｃｋｉｎｇ  Ａｒｅａ）という単位でネットワークに記憶される。トラッキング・エリアとは、３Ｇにおけるロケーション・エリア（ＬＡ：  Ｌｏｃａｔｉｏｎ  Ａｒｅａ）又はルーティング・エリア（ＲＡ：  Ｒｏｕｔｉｎｇ  Ａｒｅａ）に相当し、１又は複数のセルにより構成される。
【０００３】
各ユーザ装置を管理するアクセスゲートウェイ装置は、ホームロケーションレジスタ（ＨＬＲ：  Ｈｏｍｅ  Ｌｏｃａｔｉｏｎ  Ｒｅｇｉｓｔｅｒ）にそのアクセスゲートウェイ装置の識別子が保持される。
【０００４】
ユーザ装置は、２種類の動作モード、すなわちアクティブモードとアイドルモードとを有する。
【０００５】
アイドルモードであるユーザ装置、すなわち待ち受け中のユーザ装置は、伝搬状態に応じて待ち受けるセルを選択し、そのセルから送信されているページングチャネルを受信する。ユーザ装置は、受信したページングチャネルを確認し、自装置に対する着信を示す信号の有無を確認し、自装置に対する着信を示す信号を確認すると、在圏セルに対して上りリンクでアクセスする。ユーザ装置は、その後、該セルとの間にコネクションを張り、アクティブモードに遷移する。この時点で、ネットワーク側は、ユーザ装置が在圏するセルを特定できる。
【０００６】
ネットワーク側では、ユーザ装置がアイドルモードである場合には、該ユーザ装置との間のコネクションのない状態であるため、在圏するセルまでは特定することができない。このため、ネットワークは、トラッキング・エリアに属する全セルで、ページングチャネルを送信する。
【０００７】
各トラッキング・エリアでは、各セルから、トラッキング・エリアの識別子が報知されている。アイドルモードであるユーザ装置は、報知されているトラッキング・エリアの識別子を受信し、自装置が在圏するトラッキング・エリアを把握することができる。
【０００８】
例えば、ユーザ装置が隣のセルに移動し、そこで報知されているトラッキング・エリアの識別子がこれまで報知されていたトラッキング・エリアの識別子と異なる場合、ユーザ装置は上りリンクでアクセスし、位置登録の更新要求を行う。この位置登録の更新をトラッキング・エリア・アップデート（ＴＡＵ：  Ｔｒａｃｋｉｎｇ  Ａｒｅａ  Ｕｐｄａｔｅ）という。具体的には、ユーザ装置は位置登録されているトラッキング・エリアの識別子を記憶保持している。ユーザ装置は、移動に伴いセルの再選択を行う。このセルの再選択をセルリセレクションという。移動局はセルリセレクションの度に、そのセルからの報知情報を受信し、その報知情報に含まれるトラッキング・エリアの識別子を確認する。ユーザ装置は、受信した新たなトラッキング・エリアの識別子が、記憶保持しているトラッキング・エリアの識別子と異なる場合、これまで在圏していたトラッキング・エリアから出たと判断し、トラッキング・エリア・アップデートを行う。トラッキング・エリア・アップデートを行うと、ネットワークはユーザ装置を登録するトラッキング・エリアの識別子をユーザ装置に通知し、ユーザ装置は通知されたトラッキング・エリアの識別子を記憶保持する。このとき、ネットワークは複数のトラッキング・エリアの識別子を通知してもよい。この場合、ユーザ装置は、同時に複数のトラッキング・エリアに位置登録することとなる。これを多重位置登録（Ｍｕｌｔｉ−ＴＡ  Ｒｅｇｉｓｔｒａｔｉｏｎ）という。ユーザ装置は、記憶保持したトラッキング・エリアの識別子と、セルリセレクションしたセルで報知されているトラッキング・エリアの識別子を比べることで、トラッキング・エリア・アップデートの必要有無を判断する。
【０００９】
一方、受信した新たなトラッキング・エリアの識別子が記憶保持しているトラッキング・エリアの識別子と同じである場合、ユーザ装置は、これまで在圏していたトラッキング・エリアから出ていないと判断する。この場合、ユーザ装置は、トラッキング・エリア・アップデートは行わない。
【００１０】
ユーザ装置は、移動に伴い、セルリセレクションを行うが、同じトラッキング・エリアに在圏する限り、トラッキング・エリア・アップデートは行わない。
【００１１】
また、アクティブモードであるユーザ装置、すなわち通信中のユーザ装置は、トラッキング・エリア・アップデートは行わなくてもよい。
【非特許文献１】３ＧＰＰ  ＴＳ３６．３００，  ｖ  ８．１．０，  Ｊｕｌｙ，  ２００７
【発明の開示】
【発明が解決しようとする課題】
【００１２】
アイドルモードであるユーザ装置は、間欠受信（ＤＲＸ：  Ｄｉｓｃｏｎｔｉｎｕｏｕｓ  Ｒｅｃｅｐｔｉｏｎ）のタイミングで、ページングチャネルをモニターし、自ユーザ装置に対応するページング用の無線ネットワークテンポラリーＩＤ（Ｐ−ＲＮＴＩ：  Ｐａｇｉｎｇ−Ｒａｄｉｏ  Ｎｅｔｗｏｒｋ  Ｔｅｍｐｏｒａｒｙ  Ｉｄｅｎｔｉｔｙ）宛ての物理下り制御チャネル（ＰＤＣＣＨ：Ｐｈｙｓｉｃａｌ  Ｄｏｗｎｌｉｎｋ  Ｃｏｎｔｒｏｌ  Ｃｈａｎｎｅｌ）があるかをチェックする。あった場合は物理下り共有チャネル（ＰＤＳＣＨ：Ｐｈｙｓｉｃａｌ  Ｄｏｗｎｌｉｎｋ  Ｓｈａｒｅｄ  Ｃｈａｎｎｅｌ）を更に受信し、自ユーザ装置の識別子（ＵＥ  ＩＤ）が入っていた場合は着信を認識して接続プロシージャに移行する。このページングチャネルを受信する場合に使用するページング・パラメータは、報知チャネルで通知される。ページング・パラメータには、少なくとも間欠受信周期、ページングの群数が含まれる。
【００１３】
ユーザ装置がセル再選択を行い、そのセルで新たに待ち受ける場合には、報知情報を全て受信するので、その報知情報の受信が終了するまでは、ページングチャネルの受信ができない。すなわち、ユーザ装置がセル再選択を実施してから報知情報の受信が終了するまでの間に着信があった場合には、その着信を受信できない。ここで、報知情報の受信とは、ページングチャネルを受信する場合に使用するページング・パラメータの全てを受信することである。
【００１４】
そこで、本発明は、上述した問題を解決するためになされたものであり、セル再選択が開始された場合における着信を受信できない時間を短縮できるユーザ装置を提供することにある。
【課題を解決するための手段】
【００１５】
上記課題を解決するため、本発明のユーザ装置は、
在圏セルが変わった場合に、待ち受けるセルの再選択を行うユーザ装置であって：
基地局装置から送信された新たなトラッキング・エリアのＩＤが、前記セルの再選択の直前に在圏していたセルのトラッキング・エリアＩＤと一致するか否かを判断するトラッキング・エリアＩＤ判断手段；
前記新たなトラッキング・エリアのＩＤが、前記セルの再選択の直前に在圏していたセルのトラッキング・エリアＩＤと一致すると判断された場合に、前記セルの再選択の直前に在圏していたセルにおけるページング・パラメータで、ページングの受信を行うページング受信手段；
を備えることを特徴の１つとする。
【００１６】
本発明のページングチャネル受信方法は、
在圏セルが変わった場合に、待ち受けるセルの再選択を行うユーザ装置におけるページングチャネル受信方法であって：
基地局装置から送信された新たなトラッキング・エリアのＩＤが、前記セルの再選択の直前に在圏していたセルのトラッキング・エリアＩＤと一致するか否かを判断するトラッキング・エリアＩＤ判断ステップ；
前記新たなトラッキング・エリアのＩＤが、前記セルの再選択の直前に在圏していたセルのトラッキング・エリアＩＤと一致すると判断された場合に、前記セルの再選択の直前に在圏していたセルにおけるページング・パラメータで、ページングの受信を行うページング受信ステップ；
を有することを特徴の１つとする。
【発明の効果】
【００１７】
本発明の実施例によれば、セル再選択が開始された場合における着信を受信できない時間を短縮することができるユーザ装置を実現できる。
【発明を実施するための最良の形態】
【００１８】
次に、本発明を実施するための最良の形態を、以下の実施例に基づき図面を参照しつつ説明する。
なお、実施例を説明するための全図において、同一機能を有するものは同一符号を用い、繰り返しの説明は省略する。
【００１９】
本発明の実施例に係るユーザ装置が適用される無線通信システムについて、図１を参照して説明する。本実施例では、一例としてＬＴＥ（Ｌｏｎｇ  Ｔｅｒｍ  Ｅｖｏｌｕｔｉｏｎ）が適用されるシステムについて説明するが、ＵＭＴＳ（ｕｎｉｖｅｒｓａｌ  ｍｏｂｉｌｅ  ｔｅｌｅｐｈｏｎｅ  ｓｅｒｖｉｃｅ）が適用されるシステム、具体的にはＷ−ＣＤＭＡやＨＳＤＰＡが適用されるシステムにも適用できる。
【００２０】
無線通信システム１０００は、例えばＥｖｏｌｖｅｄ  ＵＴＲＡ  ａｎｄ  ＵＴＲＡＮ（別名：Ｌｏｎｇ  Ｔｅｒｍ  Ｅｖｏｌｕｔｉｏｎ，或いは，Ｓｕｐｅｒ  ３Ｇ）が適用されるシステムであり、基地局装置（ｅＮＢ：  ｅＮｏｄｅ  Ｂ）２００（２００１，２００２，・・・、２００ｌ、ｌはｌ＞０の整数）と複数のユーザ装置（ＵＥ：  Ｕｓｅｒ  Ｅｑｕｉｐｍｅｎｔ）１００ｎ（１００１、１００２、１００３、・・・、１００ｎ、ｎはｎ＞０の整数）とを備える。基地局装置２００ｌは、上位局装置、例えばアクセスゲートウェイ装置３００と接続され、上位局装置３００は、コアネットワーク４００と接続される。ここで、ユーザ装置１００ｎは、各基地局装置２００ｌがカバーするセル２０２ｌ（２０２１、２０２２、２０２３、・・・、２０２ｌ、ｌはｌ＞０の整数）において基地局装置２００ｌとＥｖｏｌｖｅｄ  ＵＴＲＡ  ａｎｄ  ＵＴＲＡＮにより通信を行う。また、１又は複数のセルによりトラッキング・エリア２０４ｍ（２０４１、２０４２、２０４３、・・・、２０４ｍ、ｍはｍ＞０の整数）が構成される。例えば、セル２０２１、２０２２、２０２３及び２０２４によりトラッキング・エリア２０４１が構成され、セル２０２５及び２０２６によりトラッキング・エリア２０４２が構成される。
【００２１】
以下、ユーザ装置１００ｎ（１００１、１００２、１００３、・・・、１００ｎ）については、同一の構成、機能、状態を有するので、以下では特段の断りがない限りユーザ装置１００ｎとして説明を進める。説明の便宜上、基地局装置２００ｌと無線通信するのは移動局装置であるが、より一般的には移動端末も固定端末も含む。
【００２２】
無線通信システム１０００は、無線アクセス方式として、下りリンクについてはＯＦＤＭ（周波数分割多元接続）、上りリンクについてはＳＣ−ＦＤＭＡ（シングルキャリア−周波数分割多元接続）が適用される。ＯＦＤＭは、周波数帯域を複数の狭い周波数帯域（サブキャリア）に分割し、各周波数帯上にデータを載せて伝送を行う方式である。ＳＣ−ＦＤＭＡは、周波数帯域を分割し、複数の端末間で異なる周波数帯域を用いて伝送することで、端末間の干渉を低減することができる伝送方式である。
【００２３】
アクセスゲートウェイ装置（ａＧＷ：  ａｃｃｅｓｓ  Ｇａｔｅｗａｙ）３００は、例えばコアネットワーク４００に備えられるようにしてもよいし、コアネットワーク４００以外のネットワークに備えられるようにしてもよい。このアクセスゲートウェイ装置を制御プレーン（Ｃ−ｐｌａｎｅ）及びユーザープレーン（Ｕ−ｐｌａｎｅ）の論理エンティティに分け、ＭＭＥ（Ｍｏｂｉｌｉｔｙ  Ｍａｎａｇｅｍｅｎｔ  Ｅｎｔｉｔｙ）／Ｓ−ＧＷ（Ｓｅｒｖｉｎｇ  Ｇａｔｅｗａｙ）とする場合もある。また、コアネットワーク４００には、ホームロケーションレジスタ（ＨＬＲ：  Ｈｏｍｅ  Ｌｏｃａｔｉｏｎ  Ｒｅｇｉｓｔｅｒ）（図示なし）が備えられる。ホームロケーションレジスタには、各ユーザ装置１００ｎを管理するアクセスゲートウェイ装置の識別子が保持される。
【００２４】
本発明の実施例に係る無線通信システムについて説明する。
【００２５】
本実施例に係る無線通信システムでは、同じトラッキング・エリアに属するセルをカバーする基地局装置２００ｌは、同様のページング・パラメータを有する。すなわち、ページング・パラメータは、トラッキング・エリアに属する基地局装置毎に設定される。ページング・パラメータには、ユーザ装置１００ｎが間欠受信を行う場合の、間欠受信周期、ページングの群数が含まれる。
【００２６】
アイドル状態であるユーザ装置１００ｎは、移動に伴い、在圏するセルが変わった場合にはセル再選択を行う。例えば、図１に示すように、ユーザ装置１００３は、セル２０２２からセル２０２３に移動した場合に、在圏するセルが変わるので、セル再選択を行う。セル再選択を行うユーザ装置１００ｎは、新たに在圏するセルから送信される報知チャネルを受信する。報知チャネルには、第１報知チャネル（プライマリー報知チャネル）（Ｐ−ＢＣＨ：  Ｐｒｉｍａｒｙ  Ｂｒｏａｄｃａｓｔ  Ｃｈａｎｎｅｌ）とダイナミック報知チャネル（Ｄ−ＢＣＨ：  Ｄｙｎａｍｉｃ  Ｂｒｏａｄｃａｓｔ  Ｃｈａｎｎｅｌ）が含まれる。プライマリー報知チャネルは、Ｗ−ＣＤＭＡにおける報知チャネルのように固定された送信方法が適用される。プライマリー報知チャネルでは、基本となる最低限の情報が送信される。プライマリー報知チャネルで送信される情報以外の情報はダイナミック報知チャネルにより送信される。ダイナミック報知チャネルは、例えば共有データチャネルで送信される。このダイナミック報知チャネルには、１又は複数のスケジューリング・ユニット（ＳＵ：  Ｓｃｈｅｄｕｌｉｎｇ  Ｕｎｉｔ）が含まれる。例えば、最初のスケジューリング・ユニット（ＳＵ−１）には、自基地局装置２００が属するトラッキング・エリアのＩＤ（識別子）が含まれる（例えば、非特許文献１参照）。
【００２７】
図２は、報知チャネルの送信例を示す。
【００２８】
セル再選択を行うユーザ装置１００ｎは、プライマリー報知チャネルを受信し、該プライマリー報知チャネルにより指定される物理下りリンク制御チャネル（ＰＤＣＣＨ：  Ｐｈｙｓｉｃａｌ  Ｄｏｗｎｌｉｎｋ  Ｃｏｎｔｒｏｌ  Ｃｈａｎｎｅｌ）を受信する。物理下りリンク制御チャネルは、Ｌ１／Ｌ２制御チャネルとも呼ばれる。そして、物理下りリンク制御チャネルで指定されたリソース位置で最初のスケジューリング・ユニットを受信し、該最初のスケジューリング・ユニットに含まれる後続するスケジューリング・ユニットのスケジューリング情報を獲得して、後続するスケジューリング・ユニットを受信する。
【００２９】
ユーザ装置１００ｎは、最初のスケジューリング・ユニットに含まれるトラックキング・エリアのＩＤが、記憶保持しているトラッキング・エリアのＩＤと同じである場合には、該トラッキング・エリアのＩＤの受信後に、新たに在圏するセルから送信されるページングチャネルの受信を開始する。この場合、ユーザ装置１００ｎは、新たに在圏するセルから送信されるページングチャネルを、セル再選択の直前に在圏していたセルにおけるページング・パラメータを使用して受信する。
【００３０】
本実施例に係るユーザ装置１００ｎについて、図３を参照して説明する。
【００３１】
本実施例に係るユーザ装置１００ｎは、受信ＲＦ部１０２と、Ｌ１／Ｌ２処理部１０４と、ＲＲＣ（Ｒａｄｉｏ  Ｒｅｓｏｕｒｃｅ  Ｃｏｎｔｒｏｌ）処理部１０６と、ＮＡＳ（Ｎｏｎ−Ａｃｃｅｓｓ  Ｓｔｒａｔｕｍ）処理部１０８とを備える。
【００３２】
受信ＲＦ部１０２は、自ユーザ装置１００ｎがアイドル状態である場合に、移動し、在圏するセルが変わりセル再選択を行う場合に、基地局装置２００により送信されるプライマリー報知チャネルを受信し、該受信した報知チャネルをＬ１／Ｌ２処理部１０４に入力する。プライマリー報知チャネルは一定周期、例えば１０ｍｓ−２０ｍｓに一度の間隔で繰り返し送信される。プライマリー報知チャネルでは、セル帯域幅や送信電力などのレイヤ１（Ｌ１）情報に加えて、最初のスケジューリング・ユニットの所在を示す物理下りリンク制御チャネルの送信タイミング情報が伝送される。
【００３３】
Ｌ１／Ｌ２処理部１０４は、受信ＲＦ部１０２により入力されたプライマリー報知チャネルにより指定される物理下りリンク制御チャネルを受信する。物理下りリンク制御チャネルでは、対応するスケジューリング・ユニットのリソース・ユニット（ＲＵ：  Ｒｅｓｏｕｒｃｅ  Ｕｎｉｔ）が指定される。そして、Ｌ１／Ｌ２処理部１０４は、Ｌ１／Ｌ２制御チャネルで指定された最初のスケジューリング・ユニットのリソース・ユニットの位置を検出し、検出された最初のスケジューリング・ユニットのリソース・ユニットの位置をＲＲＣ処理部１０６に入力する。
【００３４】
ＲＲＣ処理部１０６は、入力された最初のスケジューリング・ユニットのリソース・ユニットの位置に基づいて、最初のスケジューリング・ユニットを受信し、該最初のスケジューリング・ユニットに含まれるトラッキング・エリアのＩＤを獲得し、獲得されたトラッキング・エリアのＩＤをＮＡＳ処理部１０８に入力する。
【００３５】
ＮＡＳ処理部１０８は、入力されたトラッキング・エリアのＩＤが、記憶保持しているトラッキング・エリアのＩＤ（トラッキング・エリアのＩＤリスト）のうち、セル再選択の直前に在圏していたセルの属するトラッキング・エリアのＩＤと一致するか否かを判断する。ＮＡＳ処理部１０８は、判断結果をＲＲＣ処理部１０６に入力する。
【００３６】
ＲＲＣ処理部１０６は、入力された判断結果に基づいて、新たに在圏するトラッキング・エリアのＩＤが、これまで在圏していたトラッキング・エリアのＩＤと一致する場合、Ｌ１／Ｌ２処理部１０４に対して、セルの再選択の直前に在圏していたセルにおけるページング・パラメータを使用して、ページングチャネルを受信するように指示する。そして、ＲＲＣ処理部１０６は、最初のスケジューリング・ユニットに含まれる後続するスケジューリング・ユニットのスケジューリング情報を獲得し、該スケジューリング情報に基づいて、後続するスケジューリング・ユニットを受信する。その後、ユーザ装置１００ｎは、待ち受け状態（ｃａｍｐｉｎｇ）に遷移する。
【００３７】
一方、新たに在圏するトラッキング・エリアのＩＤが、これまで在圏していたトラッキング・エリアのＩＤと一致しない場合、ＲＲＣ処理部１０６は、最初のスケジューリング・ユニットに含まれる後続するスケジューリング・ユニットのスケジューリング情報を獲得し、後続するスケジューリング・ユニットを受信する。そして、ＲＲＣ処理部１０６は、Ｌ１／Ｌ２処理部１０４に対して、後続するスケジューリング・ユニットに含まれる当該セルのページング・パラメータを使用して、ページングチャネルを受信するように指示する。
【００３８】
ＮＡＳ処理部１０８は、入力された新たに在圏するセルの属するトラッキング・エリアのＩＤがトラッキング・エリアのＩＤリストに含まれるか否かを判断する。ＮＡＳ処理部１０８は、入力された新たに在圏するセルの属するトラッキング・エリアのＩＤがトラッキング・エリアのＩＤリストに含まれる場合には、トラッキング・エリアのＩＤリストに含まれることをＲＲＣ処理部１０６に入力する。その後、ユーザ装置１００ｎは、待ち受け状態に遷移する。
【００３９】
ＮＡＳ処理部１０８は、入力された新たに在圏するセルの属するトラッキング・エリアのＩＤがトラッキング・エリアのＩＤリストに含まれない場合には、トラッキング・エリアのＩＤリストに含まれないことをＲＲＣ処理部１０６に入力し、トラッキング・エリア・アップデートを起動する。ＲＲＣ処理部１０６はトラッキング・エリア・アップデートを行うためにＲＲＣコネクションを確立する。ネットワークから新たなトラッキング・エリアＩＤリストを受信し、トラッキング・エリア・アップデートが完了した後、ＲＲＣ処理部１０６はＲＲＣコネクションを解放し、ユーザ装置１００ｎは、待ち受け状態に遷移する。
【００４０】
次に、本実施例に係るユーザ装置１００ｎにおけるページングチャネル受信方法について、図４を参照して説明する。
【００４１】
アイドル状態であるユーザ装置１００ｎは、在圏するセルが変わった場合に、セル再選択を行う（ステップＳ４０２）。
【００４２】
受信ＲＦ部１０２は、プライマリー報知チャネルを受信し、該受信した報知チャネルをＬ１／Ｌ２処理部１０４に入力する（ステップＳ４０４）。
【００４３】
Ｌ１／Ｌ２処理部１０４は、プライマリー報知チャネルにより指定される下り物理リンク制御チャネルを受信し、該下り物理リンク制御チャネルで指定された最初のスケジューリング・ユニットのリソース・ユニットの位置を検出し、検出された最初のスケジューリング・ユニットのリソース・ユニットの位置をＲＲＣ処理部１０６に入力する。ＲＲＣ処理部１０６は、入力された最初のスケジューリング・ユニットのリソース・ユニットの位置に基づいて、最初のスケジューリング・ユニットを受信する（ステップＳ４０６）。
【００４４】
ＲＲＣ処理部１０６は、最初のスケジューリング・ユニットに含まれるトラッキング・エリアのＩＤを獲得し、獲得されたトラッキング・エリアのＩＤをＮＡＳ処理部１０８に入力する。ＮＡＳ処理部１０８は、入力されたトラッキング・エリアのＩＤが、記憶保持しているトラッキング・エリアのＩＤのうち、セル再選択の直前に在圏していたセルの属するトラッキング・エリアＩＤと一致するか否かを判断する（ステップＳ４０８）。
【００４５】
セル再選択の直前に在圏していたセルの属するトラッキング・エリアＩＤと一致すると判断された場合（ステップＳ４０８：ＹＥＳ）、ＲＲＣ処理部１０６は、Ｌ１／Ｌ２処理部１０４に対して、セルの再選択の直前に在圏していたセルにおけるページング・パラメータを使用して、ページングチャネルの受信を開始するように指示する。その結果、ページングの受信が開始される（ステップＳ４１０）。
【００４６】
そして、ＲＲＣ処理部１０６は、最初のスケジューリング・ユニットに含まれる後続するスケジューリング・ユニットのスケジューリング情報を獲得し、該スケジューリング情報に基づいて後続するスケジューリング・ユニットを受信する（ステップＳ４１２）。
【００４７】
その後、ユーザ装置１００ｎは、待ち受け状態に遷移する（ステップＳ４１４）。
【００４８】
一方、セル再選択の直前に在圏していたセルの属するトラッキング・エリアＩＤと一致しないと判断された場合（ステップＳ４０８：ＮＯ）、ＲＲＣ処理部１０６は、最初のスケジューリング・ユニットに含まれる後続するスケジューリング・ユニットのスケジューリング情報を獲得し、該スケジューリング情報に基づいて、後続するスケジューリング・ユニットを受信する（ステップＳ４１６）。
【００４９】
そして、ＲＲＣ処理部１０６は、Ｌ１／Ｌ２処理部１０４に対して、後続するスケジューリング・ユニットに含まれるページング・パラメータを使用して、ページングチャネルの受信を開始するように指示する。その結果、ページングの受信が開始される（ステップＳ４１８）。
【００５０】
ＮＡＳ処理部１０８は、入力された新たに在圏するセルの属するトラッキング・エリアのＩＤがトラッキング・エリアのＩＤリストに含まれるか否かを判断する（ステップＳ４２０）。
【００５１】
入力された新たに在圏するセルの属するトラッキング・エリアのＩＤがトラッキング・エリアのＩＤリストに含まれる場合（ステップＳ４２０：ＹＥＳ）、ＮＡＳ処理部１０８は、トラッキング・エリアのＩＤリストに含まれることをＲＲＣ処理部１０６に入力する。ＲＲＣ処理部１０６は、ＮＡＳ処理部１０８による通知に基づいて、間欠受信状態を継続する。すなわち、間欠受信のタイミングで、ページングチャネルをモニターする。言い換えれば、ユーザ装置１００ｎは、待ち受け状態に遷移する（ステップＳ４１４）。
【００５２】
一方、入力された新たなトラッキング・エリアのＩＤがトラッキング・エリアのＩＤリストに含まれない場合（ステップＳ３２０：ＮＯ）、ＮＡＳ処理部１０８は、トラッキング・エリアのＩＤリストに含まれないことをＲＲＣ処理部１０６に入力し、トラッキング・エリア・アップデートを起動する。ＲＲＣ処理部１０６は、ＮＡＳ処理部１０８による通知に基づいてＲＲＣコネクションを確立し、トラッキング・エリア・アップデートを行う（ステップＳ４２２）。トラッキング・エリア・アップデート完了後、ＲＲＣ処理部１０６はＲＲＣコネクションを解放し、ページングチャネルの間欠受信状態に遷移する。すなわち、間欠受信のタイミングで、ページングチャネルをモニターする。言い換えれば、ユーザ装置１００ｎは、待ち受け状態に遷移する（ステップＳ４１４）。
【００５３】
本発明の実施例によれば、ページング・パラメータをトラッキング・エリア内では同一とする。このようにすることにより、ユーザ装置は、セル再選択を行う場合に、最初のスケジューリング・ユニットに含まれるトラッキング・エリアのＩＤが、セル再選択を行う直前のトラッキング・エリアのＩＤと一致している場合には、新たなセルにおけるページング・パラメータは、セル再選択を行う直前のセルにおけるページング・パラメータと同じであるため、ページング・パラメータを受信する前からページングチャネルの受信を開始することができる。言い換えれば、ユーザ装置は、最初のスケジューリング・ユニットの受信直後からページングチャネルの受信を開始することができる。
【００５４】
ページングはトラッキング・エリア内の全セルにおいて送信されるため、同一トラッキング・エリア内でページングのトラフィック量には差が生じない。従って、トラッキング・エリア内のセルでは、ページング・パラメータ、例えば間欠受信周期や群数を変える必要性がない。ページング・パラメータをトラッキング・エリア内で同一と予め規定することで、セル再選択した際にトラッキング・エリアＩＤの一致を確認するのみで、ページング・パラメータが不変かどうかをユーザ装置は判断することができる。トラッキング・エリアＩＤがセル再選択の前後で異なる場合にのみ、ページング・パラメータを報知チャネルから再受信すればよく、トラッキング・エリアＩＤが一致した場合は、ページング・パラメータを受信することなく、直ちにページングチャネルの受信を開始することができる。このようにすることで、着信を取りこぼす確率を削減することができる。
【００５５】
尚、上述した実施例においては、Ｅｖｏｌｖｅｄ  ＵＴＲＡ  ａｎｄ  ＵＴＲＡＮ（別名：Ｌｏｎｇ  Ｔｅｒｍ  Ｅｖｏｌｕｔｉｏｎ，或いは，Ｓｕｐｅｒ  ３Ｇ）が適用されるシステムにおける例を記載したが、本発明に係るユーザ装置及び無線通信システムは、ネットワークからトラッキング・エリアのＩＤに相当する情報を送信し、該トラッキング・エリアのＩＤに従ってトラッキング・エリア・アップデートを行い、さらに、在圏するセルが変わった場合にセル再選択を行うユーザ装置を備える無線通信システム、例えば、上述したようにＵＭＴＳが適用される無線通信システムにおいて適用することが可能である。
【００５６】
説明の便宜上、発明の理解を促すため具体的な数値例を用いて説明されるが、特に断りのない限り、それらの数値は単なる一例に過ぎず適切な如何なる値が使用されてよい。
【００５７】
以上、本発明は特定の実施例を参照しながら説明されてきたが、各実施例は単なる例示に過ぎず、当業者は様々な変形例、修正例、代替例、置換例等を理解するであろう。説明の便宜上、本発明の実施例に係る装置は機能的なブロック図を用いて説明されたが、そのような装置はハードウエアで、ソフトウエアで又はそれらの組み合わせで実現されてもよい。本発明は上記実施例に限定されず、本発明の精神から逸脱することなく、様々な変形例、修正例、代替例、置換例等が包含される。
【図面の簡単な説明】
【００５８】
【図１】本発明の一実施例に係る無線通信システムを示すブロック図である。
【図２】報知チャネルの送信例を示す説明図である。
【図３】本発明の一実施例に係るユーザ装置示す部分ブロック図である。
【図４】本発明の一実施例に係るユーザ装置の動作を示すフロー図である。
【符号の説明】
【００５９】
１００ｎ（１００１、１００２、１００３、・・・、１００ｎ）  ユーザ装置
１０２  受信ＲＦ部
１０４  Ｌ１／Ｌ２処理部
１０６  ＲＲＣ処理部
１０８  ＮＡＳ処理部
２００ｌ（２００１、２００２、２００３、・・・、２００ｌ）  基地局装置
２０２ｌ（２０２１、２０２２、２０２３、・・・、２０２ｌ）  セル
２０４ｍ（２０４１、２０４２、２０４３、・・・、２０４ｍ）  トラッキング・エリア
３００  アクセスゲートウェイ装置
４００  コアネットワーク
１０００  無線通信システム
【図１】
0005001772.tif 000002
【図２】
0005001772.tif 000003
【図３】
0005001772.tif 000004
【図４】
0005001772.tif 000005